(57)【要約】【課題】安全かつ簡便であり、巻上機から一対のレバーを取り外すことなく巻上機のブレーキ装置の点検・清掃を行うことができる巻上機のブレーキ装置の点検補助装置の提供。【解決手段】エレベータの巻上機１に連結されたブレーキドラム２に摺接可能な一対のシュー３ａ，３ｂをそれぞれ支持する一対のレバー４ａ，４ｂと、巻上機１に設けられ、レバー４ａ，４ｂの一端をそれぞれ回動可能に支持する円柱状の一対の支点ピン５ａ，５ｂと、レバー４ａ，４ｂの支点ピン５ａ，５ｂと摺接する部分のそれぞれに、これらの間を潤滑する固形潤滑剤部１０ａ，１０ｂとを備えた巻上機のブレーキ装置を点検・清掃する際に用いられ、一端が支点ピン５ａ，５ｂに取り付け可能で、支点ピン５ａ，５ｂと同じ径寸法に形成されると共に、他端に切欠き部１１ｂを有し、レバー４ａ，４ｂのスライドを可能にするガイド体１１から成る。【選択図】図３
2010184805.tif 000002
【特許請求の範囲】
【請求項１】
エレベータの巻上機に連結されたブレーキドラムと、このブレーキドラムに摺接可能な一対のシューと、前記ブレーキドラムの両側方にそれぞれ配置されると共に、前記シューをそれぞれ支持する一対のレバーと、前記巻上機に設けられ、前記レバーの一端をそれぞれ回動可能に支持する円柱状の一対の支点ピンと、前記一対のレバー間に設けられ、これらのレバーをそれぞれ前記ブレーキドラムから離隔する方向へ押し開く電磁石装置と、この電磁石装置及び前記一対のレバーにそれぞれ設けられる貫通穴に挿入されるロッドと、このロッドの一端に設けられ、前記一対のレバーに対して閉じる方向に弾性力を付勢するばねとを備えると共に、前記支点ピンのそれぞれ該当するものに摺接する前記レバーのそれぞれの部分に、前記レバーと前記支点ピンとの間を潤滑する固形潤滑剤部を備えた巻上機のブレーキ装置を点検・清掃する際に用いられる巻上機のブレーキ装置の点検補助装置において、
一端が前記支点ピンに取り付け可能で、前記支点ピンと同じ径寸法に形成されると共に、他端に切欠き部を有し、前記レバーのスライドを可能にするガイド体から成ることを特徴とする巻上機のブレーキ装置の点検補助装置。
【請求項２】
請求項１に記載の巻上機のブレーキ装置の点検補助装置において、前記ガイド体は、一端が前記支点ピンの径方向断面と同等の円形断面を有し、この一端から離れるに従って前記切欠き部を形成する先細形状を有することを特徴とする巻上機のブレーキ装置の点検補助装置。
【請求項３】
請求項１に記載の巻上機のブレーキ装置の点検補助装置において、前記ガイド体は、全体が円柱体から成り、内部に前記切欠き部を有することを特徴とする巻上機のブレーキ装置の点検補助装置。
【請求項４】
請求項１ないし３のいずれか１項に記載の巻上機のブレーキ装置の点検補助装置において、前記ガイド体は、前記支点ピンの両端のうち前記レバー側に形成された雌螺子に螺合する雄螺子を一端に有することを特徴とする巻上機のブレーキ装置の点検補助装置。
【発明の詳細な説明】
【技術分野】
【０００１】
本発明は、エレベータに備えられる巻上機のブレーキ装置を点検・清掃する際に用いられる巻上機のブレーキ装置の点検補助装置に関するものである。
【背景技術】
【０００２】
一般的に、巻上機のブレーキ装置は、エレベータの巻上機に連結されたブレーキドラムと、このブレーキドラムに摺接可能な一対のシューと、ブレーキドラムの両側方にそれぞれ配置されると共に、これらのシューをそれぞれ支持する一対のレバーと、巻上機に設けられ、レバーの一端をそれぞれ回動可能に支持する円柱状の一対の支点ピンと、一対のレバー間に設けられ、これらのレバーをそれぞれブレーキドラムから離隔する方向へ押し開く電磁石装置と、この電磁石装置及び一対のレバーにそれぞれ設けられる貫通穴に挿入されるロッドと、このロッドの一端に設けられ、一対のレバーに対して閉じる方向に弾性力を付勢するばねとを備えている。
【０００３】
そして、この電磁石装置の動力を切ると、ばねの弾性力によって一対のレバーがそれぞれ閉じる方向へ回動して一対のシューがブレーキドラムに摺接する。このようにしてブレーキドラムに連結した巻上機の回転は減速又は停止する。
【０００４】
この巻上機のブレーキ装置は定期的に点検・清掃される必要があり、通常巻上機のブレーキ装置を分解して安定した作業場所である機械室床面等に下ろして点検・清掃作業を行う。この巻上機のブレーキ装置の分解作業に用いられる分解方法として、例えば、一対のレバーの両方を結束体を介して閉じた状態でロッドを貫通穴から抜き取った後、この貫通穴に分解用ロッドを挿入して、両端の螺子部にそれぞれ螺合するナットを介してこれらレバーをそれぞれ閉じた状態に保持し、次いでこれらのレバーより結束体を取り外し、分解用ロッドの一端のナットをゆるめてレバーの一方を外した後、分解用ロッドの他端のナットをゆるめてレバーの他方を外す巻上機のブレーキ装置の分解方法が知られている（例えば、特許文献１参照）。
【０００５】
なお、特許文献１に開示された巻上機のブレーキ装置には表わされていないが、一対の支点ピンの外周に摺接するレバーのそれぞれの部分に、レバーと支点ピンとの間を潤滑する固形潤滑剤部が使用される。
【先行技術文献】
【特許文献】
【０００６】
【特許文献１】特開平５−２１３５６６号公報
【発明の概要】
【発明が解決しようとする課題】
【０００７】
ところで、この巻上機のブレーキ装置の点検・清掃作業では、一対のレバーがスムーズに回動して正常にブレーキが作動するかどうかを調べるために、前述した固形潤滑剤部の内面及びレバーと摺接する支点ピンの外周を点検・清掃することが行われる。しかしながら、このような点検・清掃作業を行う場合においても上述した特許文献１に開示された巻上機のブレーキ装置の分解方法を用いて巻上機のブレーキ装置を分解する場合、作業員が一対のレバーを巻上機から取り外す際に挟まれる危険がある。また、特許文献１に開示された巻上機のブレーキ装置の分解方法は、基本的には作業員一人で行うことができるが、これらのレバーが重量物の場合にはチェーンブロック等を用いてレバーを巻上機から取り外すか、あるいは複数の作業員でレバーを巻上機から取り外さなければならず、作業が煩雑となる。さらに、分解された巻上機のブレーキ装置の組立作業においてこれらのレバーを巻上機に取り付ける際に支点ピンとレバーの嵌め合いがきつく、位置を合わせながら挿入しなければならないため、複数の作業員による多大な労力と時間を必要とする。
【０００８】
本発明は、このような従来技術の実情に鑑みてなされたもので、その目的は、安全かつ簡便であり、巻上機から一対のレバーを取り外すことなく巻上機のブレーキ装置の点検・清掃を行うことができる巻上機のブレーキ装置の点検補助装置を提供することにある。
【課題を解決するための手段】
【０００９】
上記の目的を達成するために、本発明の巻上機のブレーキ装置の点検補助装置は、エレベータの巻上機に連結されたブレーキドラムと、このブレーキドラムに摺接可能な一対のシューと、前記ブレーキドラムの両側方にそれぞれ配置されると共に、前記シューをそれぞれ支持する一対のレバーと、前記巻上機に設けられ、前記レバーの一端をそれぞれ回動可能に支持する円柱状の一対の支点ピンと、前記一対のレバー間に設けられ、これらのレバーをそれぞれ前記ブレーキドラムから離隔する方向へ押し開く電磁石装置と、この電磁石装置及び前記一対のレバーにそれぞれ設けられる貫通穴に挿入されるロッドと、このロッドの一端に設けられ、前記一対のレバーに対して閉じる方向に弾性力を付勢するばねとを備えると共に、前記支点ピンのそれぞれ該当するものに摺接する前記レバーのそれぞれの部分に、前記レバーと前記支点ピンとの間を潤滑する固形潤滑剤部を備えた巻上機のブレーキ装置の点検・清掃する際に用いられる巻上機のブレーキ装置の点検補助装置において、一端が前記支点ピンに取り付け可能で、前記支点ピンと同じ径寸法に形成されると共に、他端に切欠き部を有し、前記レバーのスライドを可能にするガイド体から成ることを特徴としている。
【００１０】
このように構成した本発明は、巻上機のブレーキ装置の点検・清掃を行う際に支点ピンと同じ径寸法に形成されたガイド体を支点ピンに取り付け、レバーをガイド体の切欠き部を形成する部分の先端までスライドさせることによって、レバーと摺接する支点ピンの外周を点検・清掃することができる。また、支点ピンに取り付けられたガイド体は他端に切欠き部を有しているので、レバーをこの切欠き部を形成する部分の先端までスライドさせることによって、切欠き部とレバーとの間に生じた間隙から固形潤滑剤部の内面を点検・清掃することができる。さらに、この状態において切欠き部を形成する部分とレバーが接触する固形潤滑剤部の内面はレバーを回動させることにより、点検・清掃することができる。そのため、固形潤滑剤部の内面全周をも点検・清掃することができる。
【００１１】
このように、巻上機のブレーキ装置を分解せずに巻上機のブレーキ装置の点検・清掃を行うことができ、レバーを巻上機から取り外す必要がないので、作業員が一対のレバーを巻上機から取り外す際に挟まれる危険もなく、作業が簡便である。さらに、分解された巻上機のブレーキ装置の組立作業を行う必要がないので、複数の作業員による多大な労力と時間を要しない。
【００１２】
また、本発明に係る巻上機のブレーキ装置の点検補助装置は、前記ガイド体は、一端が前記支点ピンの径方向断面と同等の円形断面を有し、この一端から離れるに従って前記切欠き部を形成する先細形状を有することを特徴としている。このように構成すると、支点ピンからガイド体の切欠き部を形成する部分の先端へのレバーのスライド及びガイド体の軸線に対するレバーの回動が滑らかになるので、容易にレバーのスライド及び回動を行うことができる。
【００１３】
また、本発明に係る巻上機のブレーキ装置の点検補助装置は、前記ガイド体は、全体が円柱体から成り、内部に前記切欠き部を有することを特徴としている。このように構成すると、ガイド体のレバーに対する支点が増えると共に、ガイド体の外周面とレバーの内周面とが固形潤滑剤部を介して確実に摺接するので、レバーのスライド及び回動時の芯ズレが少なく、高い安定性を実現することができる。
【００１４】
また、本発明に係る巻上機のブレーキ装置の点検補助装置は、前記ガイド体は、前記支点ピンの両端のうち前記レバー側に形成された雌螺子に螺合する雄螺子を一端に有することを特徴としている。このように構成すると、ガイド体を支点ピンの適切な位置に確実に取り付けることができるので、高い強度を保持することができると共に、支点ピンからガイド体へのレバーのスライドを滑らかにすることができる。また、ガイド体の雄螺子を支点ピンの雌螺子に螺合させるだけで、ガイド体を支点ピンに簡単に取り付け及び取り外すことができるので、作業時間を短縮することができる。
【発明の効果】
【００１５】
本発明の巻上機のブレーキ装置の点検補助装置は、一端が支点ピンに取り付け可能で、支点ピンと同じ径寸法に形成されると共に、他端に切欠き部を有し、レバーのスライドを可能にするガイド体から成り、巻上機のブレーキ装置の点検・清掃を行う際にこのガイド体を支点ピンに取り付け、レバーをガイド体の切欠き部を形成する部分の先端までスライドさせることによって、レバーと摺接する支点ピンの外周を点検・清掃することができると共に、切欠き部とレバーとの間に生じた間隙から固形潤滑剤部の内面を点検・清掃することができる。さらに、この状態において切欠き部を形成する部分とレバーが接触する固形潤滑剤部の内面はレバーを回動させることにより、点検・清掃することができる。そのため、固形潤滑剤部の内面全周をも確実に点検・清掃することができる。このように、巻上機のブレーキ装置の点検・清掃を行う際にレバーを巻上機から取り外す必要がないので、作業員が一対のレバーを巻上機から取り外す際に挟まれる危険もなく、作業が簡便であり、作業の安全性及び効率性を向上させることができる。さらに、分解された巻上機のブレーキ装置の組立作業を行う必要がないので、複数の作業員による多大な労力と時間を要せず、点検・清掃作業を従来に比べて能率良く行うことができる。
【図面の簡単な説明】
【００１６】
【図１】本発明に係る巻上機のブレーキ装置の点検補助装置が適用される巻上機のブレーキ装置を示す正面図である。
【図２】図１のＡ方向から見た拡大側面図である。
【図３】本発明に係る巻上機のブレーキ装置の点検補助装置の第１実施形態の構成を示す斜視図である。
【図４】本発明に係る巻上機のブレーキ装置の点検補助装置の第１実施形態が巻上機のブレーキ装置に取り付けられた状態を示す要部断面図であり、（ａ）図はレバーを点検位置までスライドさせる前の状態を示す図、（ｂ）図はレバーを点検位置までスライドさせた状態を示す図である。
【図５】レバーを点検位置までスライドさせた状態の固形潤滑材部を示す正面図である。
【図６】図５に示す状態から巻上機のブレーキ装置のレバーを回動させた状態を示す正面図である。
【図７】図６の状態における固形潤滑材部を示す正面図である。
【図８】本発明に係る巻上機のブレーキ装置の点検補助装置の第２実施形態の構成を示す斜視図である。
【発明を実施するための形態】
【００１７】
以下、本発明に係る巻上機のブレーキ装置の点検補助装置を実施するための形態を図に基づいて説明する。
【００１８】
図１は本発明に係る巻上機のブレーキ装置の点検補助装置が適用される巻上機のブレーキ装置を示す正面図、図２は図１のＡ方向から見た拡大側面図である。
【００１９】
図１、図２に示すように、本発明に係る巻上機のブレーキ装置の点検補助装置が適用される巻上機のブレーキ装置は、エレベータの巻上機１に連結されたブレーキドラム２と、このブレーキドラム２に摺接可能な一対のシュー３ａ，３ｂと、ブレーキドラム２の両側方にそれぞれ配置されると共に、これらシュー３ａ，３ｂをそれぞれ支持する一対のレバー４ａ，４ｂと、巻上機１に設けられ、これらレバー４ａ，４ｂの一端をそれぞれ回動可能に支持する円柱状の一対の支点ピン５ａ，５ｂと、一対のレバー４ａ，４ｂ間に設けられ、これらのレバー４ａ，４ｂをそれぞれブレーキドラム２から離隔する方向へ押し開く電磁石装置６と、この電磁石装置６及び一対のレバー４ａ，４ｂにそれぞれ設けられる貫通穴７ａ，７ｂに挿入されるロッド８と、このロッド８の両端に設けられ、一対のレバー４ａ，４ｂに対して閉じる方向に弾性力を付勢する一対のばね９ａ，９ｂとを備えると共に、支点ピン５ａ，５ｂのそれぞれ該当するものに摺接するレバー４ａ，４ｂのそれぞれの部分に、レバー４ａ，４ｂと支点ピン５ａ，５ｂとの間を潤滑する固形潤滑剤部１０ａ，１０ｂが使用される。また、支点ピン５ａ，５ｂの両端のうちレバー４ａ，４ｂ側には図示しない雌螺子がそれぞれ形成されている。
【００２０】
［第１実施形態］
図３は本発明に係る巻上機のブレーキ装置の点検補助装置の第１実施形態の構成を示す斜視図である。
【００２１】
図３に示すように、本発明に係る巻上機のブレーキ装置の点検補助装置の第１実施形態は、一端が支点ピン５ａ，５ｂに取り付け可能で、支点ピン５ａ，５ｂと同じ径寸法に形成されると共に、他端に切欠き部１１ｂを有し、レバー４ａ，４ｂのスライドを可能にするガイド体１１から成っている。例えばガイド体１１は支点ピン５ａ，５ｂの径方向断面と同等の円形端面１１ａを有し、切欠き部１１ｂは、円形端面１１ａから離れるに従って先細形状となっている。また、ガイド体１１の円形端面１１ａには支点ピン５ａ，５ｂに形成された雌螺子に螺合する雄螺子１１ｃが設けられている。
【００２２】
次に、本発明に係る巻上機のブレーキ装置の点検補助装置の取付状態及び動作を図４〜図８に基づいて説明する。
【００２３】
図４（ａ）に示すように、巻上機のブレーキ装置の点検・清掃を行う場合、まずガイド体１１の雄螺子１１ｃを支点ピン５ａ，５ｂの雌螺子に螺合させ、ガイド体１１の切欠き部１１ｂを形成する部分１１ｄが上側に位置するように配置する。次に、図４（ｂ）に示すように、レバー４ａ，４ｂをガイド体１１の切欠き部１１ｂを形成する部分１１ｄの先端までスライドさせ、レバー４ａ，４ｂと摺接する支点ピン５ａ，５ｂの外周を点検・清掃する。そして、切欠き部１１ｂとレバー４ａ，４ｂとの間に生じた間隙から固形潤滑剤部１０ａ，１０ｂの内面、すなわち図５に示す円弧１３Ａの範囲における固形潤滑剤部１０ａ，１０ｂの内面を点検・清掃する。
【００２４】
このとき、図５に示すように、切欠き部１１ｂを形成する部分１１ｄとレバー４ａ，４ｂが接触する固形潤滑剤部１０ａ，１０ｂの内面、すなわち円弧１３Ｂの範囲における固形潤滑剤部１０ａ，１０ｂの内面を点検・清掃する場合、図６の矢印２０，２１で示すように、また図７の矢印２２で示すように、レバー４ａ，４ｂをブレーキドラム２から離隔する方向へ回動させる。そして、図７に示すように、図５に示す回動前の円弧１３Ａに相当する円弧１４Ａの範囲と回動後の円弧１３Ｂの範囲との重複する円弧１５の範囲における固形潤滑剤部１０ａ，１０ｂの内面を新たに点検・清掃する。
【００２５】
このように構成した本発明の第１実施形態によれば、巻上機のブレーキ装置の点検・清掃を行う際にレバー４ａ，４ｂを支点ピン５ａ，５ｂに取り付けられたガイド体１１の切欠き部１１ｂを形成する部分１１ｄの先端までスライドさせることによって、レバー４ａ，４ｂと摺接する支点ピン５ａ，５ｂの外周を点検・清掃することができると共に、切欠き部１１ｂとレバー４ａ，４ｂとの間に生じた間隙から固形潤滑剤部１０ａ，１０ｂの内面を点検・清掃することができる。さらに、上述したように切欠き部１１ｂを形成する部分１１ｄとレバー４ａ，４ｂが接触する固形潤滑剤部１０ａ，１０ｂの内面、すなわち図５に示す円弧１３Ｂの範囲における固形潤滑剤部１０ａ，１０ｂの内面はレバー４ａ，４ｂを回動させることにより、点検・清掃することができる。そのため、固形潤滑剤部１０ａ，１０ｂの内面ほぼ全周を点検・清掃することができる。
【００２６】
このように、巻上機のブレーキ装置を分解せずに巻上機のブレーキ装置の点検・清掃を行うことができ、レバー４ａ，４ｂを巻上機１から取り外す必要がないので、作業員が一対のレバー４ａ，４ｂを巻上機１から取り外す際に挟まれる危険もなく、作業が簡便であり、作業の安全性及び効率性を向上させることができる。さらに、分解された巻上機のブレーキ装置の組立作業を行う必要がないので、複数の作業員による多大な労力と時間を要せず、点検・清掃作業を従来に比べて能率良く行うことができる。
【００２７】
また、本発明の第１実施形態は、ガイド体１１は支点ピン５ａ，５ｂの径方向断面と同等の円形端面１１ａを有し、この円形端面１１ａから離れるに従って先細形状となる切欠き部１１ｂを有するので、支点ピン５ａ，５ｂからガイド体１１の切欠き部１１ｂを形成する部分１１ｄ先端へのレバー４ａ，４ｂのスライド及びガイド体１１の軸線に対するレバー４ａ，４ｂの回動が滑らかになり、容易にレバー４ａ，４ｂのスライド及び回動を行うことができ、作業員の作業に対する負担を軽減することができる。
【００２８】
また、本発明の第１実施形態は、ガイド体１１は支点ピン５ａ，５ｂに形成された雌螺子に螺合する雄螺子１１ｃを有し、ガイド体１１を円柱上の支点ピン５ａ，５ｂの端面とガイド体１１の円形端面１１ａとを位置ずれなく確実に取り付けることができるので、高い強度を保持することができると共に、支点ピン５ａ，５ｂからガイド体１１へのレバー４ａ，４ｂのスライドを滑らかにすることができる。また、ガイド体１１の雄螺子１１ｃを支点ピン５ａ，５ｂの雌螺子に螺合させるだけで、ガイド体１１を支点ピン５ａ，５ｂに簡単に取り付け及び取り外すことができるので、作業時間を短縮することができ、作業の効率性をさらに高めることができる。
【００２９】
なお、本発明の第１実施形態は、レバー４ａ，４ｂをブレーキドラム２から離隔する方向へ回動させることにより、固形潤滑剤部１０ａ，１０ｂの内面ほぼ全周を点検・清掃する場合について説明したが、このレバー４ａ，４ｂの回動を大きくすることにより、固形潤滑剤部１０ａ，１０ｂの内面全範囲を確実に点検・清掃することができる。
【００３０】
［第２実施形態］
図８は本発明に係る巻上機のブレーキ装置の点検補助装置の第２実施形態の構成を示す斜視図である。
【００３１】
図８に示すように、本発明の第２実施形態が本発明の第１実施形態と異なるのは、ガイド体１２が、全体が円柱体から成り、内部に切欠き部１２ｂを有することである。すなわち本発明の第２実施形態は、ガイド体１２の全体が、支点ピン５ａ，５ｂの径方向断面と同等の円形端面１２ａを有する円柱体から成り、円形端面１２ａの他端に開放される切欠き部１２ｂを内部に有している。そして、レバー４ａ，４ｂをスライドさせる際には、切欠き部１２ｂを形成する部分１２ｄによってレバー４ａ，４ｂはガイドされる。一方、その他の構成、取付状態及び動作は第１実施形態と同じである。
【００３２】
このように構成した本発明の第２実施形態によれば、前述した本発明の第１実施形態と同様の作用効果が得られる他、ガイド体１２のレバー４ａ，４ｂに対する支点が増えると共に、ガイド体１２の外周面とレバー４ａ，４ｂの内周面とが固形潤滑剤部１０ａ，１０ｂを介して確実に摺接するので、レバー４ａ，４ｂのスライド及び回動時の芯ズレが少なく、高い安定性を実現することができる。
【符号の説明】
【００３３】
１  巻上機
２  ブレーキドラム
３ａ，３ｂ  シュー
４ａ，４ｂ  レバー
５ａ，５ｂ  支点ピン
６  電磁石装置
７ａ，７ｂ  貫通穴
８  ロッド
９ａ，９ｂ  ばね
１０ａ，１０ｂ  固形潤滑材部
１１，１２  ガイド体
１１ａ，１２ａ  円形端面
１１ｂ，１２ｂ  切欠き部
１１ｃ，１２ｃ  雄螺子
１１ｄ，１２ｄ  切欠き部を形成する部分
【図１】
2010184805.tif 000003
【図２】
2010184805.tif 000004
【図３】
2010184805.tif 000005
【図４】
2010184805.tif 000006
【図５】
2010184805.tif 000007
【図６】
2010184805.tif 000008
【図７】
2010184805.tif 000009
【図８】
2010184805.tif 000010